(57)【特許請求の範囲】
【請求項１】
衣類が収容される袋体と、
オゾンを含む空気を前記袋体内に供給するオゾン供給装置と、
前記袋体に設けられ、ファスナーによって開閉される投入口と、
前記袋体の内面側から前記ファスナーの閉じ口部分の周辺を覆い、前記ファスナー全体を覆わないカバーと、を備え、
前記ファスナーは、閉鎖する際の始端部と終端部の間を移動するスライダーを有し、
前記スライダーが前記始端部から前記終端部へ移動すると前記ファスナーが閉じて前記投入口が閉鎖し、
前記カバーには、前記ファスナーが延びる方向における前記終端部側とは反対側の端部に、当該端部の厚みが大きくなるように、前記ファスナーが延びる方向に交差するよう延びる充填材が収容される、
ことを特徴とする衣類処理装置。
【請求項２】
請求項１に記載の衣類処理装置において、
前記カバーは、通気性を有しない生地により長方形状に形成され、前記ファスナーが延びる方向における前記終端部側の縁部、右縁部および左縁部が前記袋体の裏面に密着固定される、
ことを特徴とする衣類処理装置。
【発明の詳細な説明】
【技術分野】
【０００１】
本発明は、衣類に脱臭等の処理を施す衣類処理装置に関する。
【背景技術】
【０００２】
従来、衣類をハンガーポールに吊り下げて収納可能な収納庫を備え、この収納庫内に高温高湿の空気を循環させ、衣類の匂いを吸着した循環空気をオゾン脱臭器に通すことにより、衣類の脱臭を行うようにした衣類リフレッシュ装置が知られている（特許文献１参照）。
【０００３】
かかる衣類リフレッシュ装置は、収納庫を備えているため、装置本体が大きくなりやすい。そこで、大きな設置スペースを要せず、家庭内に簡単に設置することが可能となるように、衣類が収容可能な袋体と、当該袋体内にオゾンを含む空気を供給するオゾン供給装置とを備え、袋体に収容した衣類にオゾンによる脱臭等の処理を施す衣類処理装置を実現することが考えられる。
【０００４】
かかる衣類処理装置では、袋体に衣類の投入口が設けられ、この投入口をファスナーによって開閉する構成が採られ得る。
【先行技術文献】
【特許文献】
【０００５】
【特許文献１】特開平０４−３２７９００号公報
【発明の概要】
【発明が解決しようとする課題】
【０００６】
上記衣類処理装置では、ファスナーの閉じ口部分からのオゾンを含む空気の漏れ出しが懸念される。
【０００７】
本発明は、かかる課題に鑑みてなされたものであり、ファスナーの閉じ口部分からのオゾンを含む空気の漏れ出しを防止できる衣類処理装置を提供することを目的とする。
【課題を解決するための手段】
【０００８】
本発明の主たる態様に係る衣類処理装置は、衣類が収容される袋体と、オゾンを含む空気を前記袋体内に供給するオゾン供給装置と、前記袋体に設けられ、ファスナーによって開閉される投入口と、前記袋体の内面側からファスナーの閉じ口部分の周辺を覆うカバーと、を備える。
【０００９】
上記の構成によれば、ファスナーの閉じ口部分に向おうとするオゾンを含む空気をカバーで遮ることができるので、ファスナーの閉じ口部分が僅かに開いていても、オゾンを含む空気が閉じ口部分から漏れ出しにくい。
【００１０】
本態様に係る衣類処理装置において、前記カバーは、通気性を有しない生地により形成され得る。
【００１１】
上記の構成によれば、オゾンを含む空気がカバー自身を通過することがなく、オゾンを含む空気が、一層、閉じ口部分から漏れ出しにくい。
【００１２】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００１３】
【図１】実施の形態に係る、衣類脱臭装置の構成を示す図である。
【図２】実施の形態に係る、袋体の下部中央部を示す図である。
【図３】実施の形態に係る、袋体の下部中央部を示す図である。
【図４】実施の形態に係る、導入ダクトの構成を示す図である。
【図５】実施の形態に係る、導入ダクトを袋体に取り付ける手順について説明するための模式図である。
【図６】実施の形態に係る、導入ダクトが取り付けられた状態の袋体の下部中央部を示す図である。
【図７】実施の形態に係る、排気兼ハンガー保持ユニットの構成を示す図である。
【図８】実施の形態に係る、排気兼ハンガー保持ユニットの構成を示す図である。
【図９】実施の形態に係る、排気兼ハンガー保持ユニットの構成を示す図である。
【図１０】実施の形態に係る、排気兼ハンガー保持ユニットの構成を示す図である。
【図１１】実施の形態に係る、袋体保持部の構成を示す図である。
【図１２】実施の形態に係る、袋体保持部に袋体が取り付けられた状態の要部の縦断面図である。
【図１３】実施の形態に係る、オゾン供給装置の構成を示す図である。
【図１４】実施の形態に係る、オゾン供給装置の構成を示す図である。
【図１５】実施の形態に係る、オゾン供給装置の構成を示す図である。
【図１６】実施の形態に係る、オゾン供給装置の構成を示す図である。
【図１７】実施の形態に係る、オゾン供給装置への導入ダクトの接続と、ダクト検出部による接続の検出について説明するための図である。
【図１８】実施の形態に係る、ファスナーによって袋体の投入口が閉鎖されたことをキー検出部が検出する動作について説明するための図である。
【図１９】実施の形態に係る、ファスナーによって袋体の投入口が閉鎖されたことをキー検出部が検出する動作について説明するための図である。
【図２０】実施の形態に係る、香り供給ユニットの構成を示す図である。
【図２１】実施の形態に係る、香り供給ユニットの構成を示す図である。
【図２２】変更例に係る、衣類脱臭装置の構成を示す図である。
【発明を実施するための形態】
【００１４】
以下、本発明の衣類処理装置の一実施形態である衣類脱臭装置について、図面を参照して説明する。
【００１５】
図１は、衣類脱臭装置１の構成を示す図である。図１（ａ）は、衣類脱臭装置１の斜視図であり、図１（ｂ）は、衣類脱臭装置１を構成する台座５０、支柱６０および袋体保持部７０の斜視図である。
【００１６】
図１を参照して、衣類脱臭装置１は、袋体１０と、オゾン供給装置２０と、導入ダクト３０と、排気兼ハンガー保持ユニット４０と、台座５０と、支柱６０と、袋体保持部７０と、香り供給ユニット８０とを含む。
【００１７】
袋体１０は、スーツ、コート等の各種の衣類を収容する。袋体１０は、密閉性に富むように、通気性を有しない生地材料を複数枚重ねるようにして形成される。袋体１０は、前後に扁平なほぼ縦長の直方体形状を有し、前面を構成する前生地１０ａと、後面を構成する後生地１０ｂと、上下左右の側面を構成する側面生地１０ｃとで構成される。
【００１８】
袋体１０は、上下の寸法が、ロングブラウス、ロングコート等の丈の長い衣類が収容できる寸法に設定される。また、袋体１０は、前後の寸法が、一着の衣類が収容できる寸法に設定される。なお、袋体１０は、上下の寸法が、丈の長い衣類が収容できない寸法に設定されても良く、前後の寸法が、二着から三着程度の衣類が前後に並ぶように収容できる寸法に設定されても良い。
【００１９】
袋体１０の前面には、左右方向におけるほぼ中央に、上端から下端に亘って、衣類の投入口１１となる切れ目が形成される。投入口１１には、ファスナー１２が取り付けられる。ファスナー１２は、閉鎖する際の始端部１２ａおよび終端部１２ｂが、それぞれ、袋体１０の上端および下端に位置する。ファスナー１２のスライダー１２ｃは、始端部１２ａから終端部１２ｂの間を移動する。スライダー１２ｃが始端部１２ａから降ろされるとファスナー１２が閉じて投入口１１が閉鎖され、スライダー１２ｃが終端部１２ｂから上げられると、ファスナー１２が開いて投入口１１が開放される。このように、スライダー１２ｃを下ろす方向が投入口１１の閉鎖方向とされているので、投入口１１が閉鎖された状態において、スライダー１２ｃの自重が閉鎖方向に働く。よって、スライダー１２ｃを上げる方向が投入口１１の閉鎖方向となる場合と異なり、スライダー１２ｃの自重によって終端部１２ｂ、即ち、ファスナー１２の閉じ口部分が開いてくる虞がない。
【００２０】
オゾン供給装置２０は、衣類の脱臭を行う脱臭運転と衣類に香り付けを行う香り付け運転とを行う。オゾン供給装置２０は、脱臭運転時には、排出する空気にオゾンを含ませる動作を行うことにより、オゾンを含む空気を袋体１０に供給する。また、オゾン供給装置２０は、香り付け運転時には、排出する空気にオゾンを含ませない動作を行うことにより、オゾンを含まない空気を袋体１０に供給する。
【００２１】
導入ダクト３０は、袋体１０とオゾン供給装置２０とに連結され、オゾン供給装置２０から排出された空気を袋体１０内に導く。脱臭運転時には、オゾンを含む空気が導入ダクト３０を通過し、香り付け運転時には、オゾンを含まない空気が導入ダクト３０を通過する。
【００２２】
排気兼ハンガー保持ユニット４０は、袋体１０の後面上部に設けられる。排気兼ハンガー保持ユニット４０は、オゾン除去機能を有する排気部４１と、衣類が掛けられた衣類用ハンガーを保持するハンガー保持部４２とが、樹脂材料を用いて一体に形成されたものである。袋体１０内で衣類の脱臭に寄与したオゾンを含む空気は、排気部４１を通じて袋体１０の外に排出される。排気部４１を通過する際、空気に含まれるオゾンが除去される。
【００２３】
台座５０は、所定の形状、たとえば、四角形状を有する平板である。台座５０の上にオゾン供給装置２０が載置される。台座５０の後部には、支柱６０を支えるための支え部５１が形成される。さらに、台座５０には、オゾン供給装置２０の前面が台座５０の正面方向を向くようにオゾン供給装置２０を固定するための第１固定部５２と第２固定部５３が形成される。第１固定部５２は、複数の鉤状の爪部５２ａにより構成される。第２固定部５３は、一端部が台座５０に支持されたＬ字状の弾性レバー５３ａと、弾性レバー５３ａの一端部よりやや後方に形成された突起５３ｂと、弾性レバー５３ａの他端部に形成された押圧部５３ｃとを含む。押圧部５３ｃが下方に押されると、弾性レバー５３ａが弾性変形し、突起５３ｂが下方に引っ込む。
【００２４】
支柱６０は、２本のポール６１により構成される。支柱６０は、下端部が支え部５１に取り付けられ、台座５０に対して直立する。支柱６０は、２本のポール６１でなく、１本あるいは３本以上のポールより構成されても良い。また、支柱６０の高さが調整できるよう、支柱６０に伸縮機構が設けられてもよい。
【００２５】
支柱６０の上端に、袋体保持部７０が取り付けられる。袋体保持部７０は、袋体１０を、前後、上下および左右の何れの方向にも動かないように吊り下げ保持する。
【００２６】
香り供給ユニット８０は、オゾン供給装置２０によって香り付け運転が行われる際に用いられる。香り供給ユニット８０は、導入ダクト３０に着脱可能に装着され、袋体１０に供給される空気に芳香成分を含ませる。
【００２７】
次に、袋体１０、並びに、袋体１０に取り付けられる導入ダクト３０および排気兼ハンガー保持ユニット４０の構造について詳細に説明する。
【００２８】
図２および図３は、袋体１０の下部中央部を示す図である。図２（ａ）は前面斜視図であり、図２（ｂ）は背面断面図である。図３（ａ）は正面下方から見た斜視図であり、図３（ｂ）は背面下方から見た斜視図である。図３（ｄ）は、終端カバー１３の上部の側面断面である。
【００２９】
袋体１０における前生地１０ａの裏面には、袋体１０の内側からファスナー１２の終端部１２ｂ、即ち閉じ口部分を覆うようにして終端カバー１３が装着される。終端カバー１３は、通気性を有しない生地により長方形状に形成され、下縁部１３ａ、右縁部１３ｂおよび左縁部１３ｃが前生地１０ａの裏面に、縫い合わせ、接着等の固定方法で密着固定される。終端カバー１３が、本発明のカバーに相当する。
【００３０】
ファスナー１２が最後までしっかりと閉じられないと、ファスナー１２の閉じ口部分が僅かに開いた状態となりやすい。上記の通り、閉じ口部分の周辺は終端カバー１３で覆われており、脱臭運転時には、袋体１０に導入された空気により袋体１０内の圧力が高まり、その圧力の高まりによって終端カバー１３が袋体１０の前面側に押され、前生地１０ａの裏面に密着した状態になりやすい。このため、ファスナー１２の閉じ口部分が僅かに開いていても、オゾンを含む空気が閉じ口部分から漏れ出しにくい。
【００３１】
なお、終端カバー１３の上端部には、厚みが大きくなるよう、その内部にウレタン等からなる充填材１３ｄが収容される。これにより、ファスナー１２を閉じる際に、ファスナー１２が終端カバー１３の上端部に噛み込むことが防止される。
【００３２】
ファスナー１２による投入口１１の閉鎖を検出するため、検出キー９０が、スライダー１２ｃ、より具体的にはスライダー１２ｃの引き手に、連結紐９５を介して連結される。検出キー９０は、円筒状を有し、その周面の下端部に突出部９１が形成され、その上端部に連結紐９５を固定するためのストラップ部９２が形成される。連結紐９５は、一端部がスライダー１２ｃの引き手に連結され、他端部がストラップ部９２に連結される。連結紐９５は、予め定める長さを有するものであればよく、たとえば組紐、チェーン、ワイヤなどで実現される。
【００３３】
袋体１０には、下面中央部に空気の入口１４が設けられ、この入口１４から円筒状部１５が垂下する。円筒状部１５は、入口１４に挿入された導入ダクト３０の先端部を包囲する。導入ダクト３０の先端部は、円筒状部１５に固定される。
【００３４】
円筒状部１５の外周面には、周方向に沿って、ほぼ円環状のバンド通し部１６が上下に並ぶように設けられる。各バンド通し部１６は、袋体１０の後面側となる円筒状部１５の後面部１５ａにおいて両端部が開放する。各バンド通し部１６には、後述する結束バンドが通される。
【００３５】
円筒状部１５の外周面には、さらに、後面部１５ａを覆い隠すため、帯状の覆い部１７が設けられる。覆い部１７の一端側は、上下のバンド通し部１６における一方の開放端１６ａの近傍に取り付けられる。覆い部１７の他端側には、面ファスナー１８の一方の面、たとえばフック面１８ａが形成され、上下のバンド通し部１６における他方の開放端１６ｂの近傍に面ファスナー１８の他方の面、たとえばループ面１８ｂが形成される。
【００３６】
図４は、導入ダクト３０の構成を示す図である。図４（ａ）は、下端側から見た斜視図であり、図４（ｂ）は、上端側から見た斜視図である。
【００３７】
導入ダクト３０は、相対的に外径が小さい円筒形の本体部３１ａと、本体部３１ａの下方に形成される、相対的に外径が大きい円筒形の接続部３１ｂとを含む。本体部３１ａと接続部３１ｂとの境界部分は、徐々に外形が絞られるような形状を有する。
【００３８】
本体部３１ａの上端には、香り供給ユニット８０の固定に用いられる複数の係合片３２が形成される。本体部３１ａの係合片３２よりも少し下の位置であって、導入ダクト３０が袋体１０に取り付けられた状態で袋体１０の前方および後方を向く各位置に、前鍔部３３および後鍔部３４が形成される。本体部３１ａの各鍔部３３、３４よりも少し下の位置には、上下に所定の間隔を置いて、環状の上フランジ部３５および下フランジ部３６が形成される。上フランジ部３５と下フランジ部３６の間であって、袋体１０へ取り付けられた状態において袋体１０の後方を向く位置には、上下に延びる突条部３７が形成される。突条部３７は、上下に並ぶ三角リブ３７ａと、これら三角リブ３７ａを繋ぐ縦リブ３７ｂとによって、三角柱に近い形状に形成される。
【００３９】
接続部３１ｂの下端であって、袋体１０へ取り付けられた状態において袋体１０の右方を向く位置と左方を向く位置には、それぞれ、右爪部３８および左爪部３９が形成される。
【００４０】
図５は、導入ダクト３０を袋体１０に取り付ける手順について説明するための模式図である。
【００４１】
図５（ａ）および（ｂ）に示すように、導入ダクト３０が、突条部３７を後面部１５ａに位置させるような向きで、下フランジ部３６の手前位置まで円筒状部１５内に挿入される。図５（ｂ）に示すように、バンド通し部１６に結束バンド１９が挿入され、結束バンド１９が円筒状部１５に巻かれる。結束バンド１９は、ヘッド部１９ａとバンド部１９ｂとで構成される。後面部１５ａにおいてバンド部１９ｂがヘッド部１９ａへ通され、結束バンド１９で円筒状部１５が内側に締め付けられる。バンド部１９ｂの余剰部分がカットされ、その後、図５（ｃ）に示すように、覆い部１７の他端側が、面ファスナー１８によってバンド通し部１６に止められ、覆い部１７でヘッド部１９ａが覆い隠される。このようにして、袋体１０への導入ダクト３０の取り付けが完了する。
【００４２】
図６は、導入ダクト３０が取り付けられた状態の袋体１０の下部中央部を示す図である。図６（ａ）は、袋体１０の下部中央部の背面断面図であり、図６（ｂ）は、図６（ａ）のＡ−Ａ´断面図であり、図６（ｃ）は、袋体１０の下部中央部を下方から見た図である。
【００４３】
図６（ａ）に示すように、導入ダクト３０が袋体１０の円筒状部１５に取り付けられた状態では、上下のフランジ部３５、３６と結束バンド１９とが上下方向において係合することにより、上下方向に関して、導入ダクト３０が円筒状部１５に固定される。即ち、導入ダクト３０は、下フランジ部３６により、上方に移動せず袋体１０内に入り込まないとともに、上フランジ部３５により、下方に移動せず袋体１０から抜けない。さらに、図６（ｂ）に示すように、結束バンド１９のヘッド部１９ａとバンド部１９ｂとの結合部１９ｃと導入ダクト３０の突条部３７とが周方向において係合し、これにより、周方向に関して、導入ダクト３０が円筒状部１５に固定される。このように、導入ダクト３０は、袋体１０に対して、抜けないだけでなく回らないように取り付けられる。また、導入ダクト３０の右爪部３８および左爪部３９は、袋体１０に対して、予め決められた位置関係となる。即ち、図６（ｃ）に示すように、袋体１０の前後方向における中心線Ｐよりも、右爪部３８は少し前に位置し、左爪部３９は少し後ろに位置する。
【００４４】
図６（ａ）に示すように、導入ダクト３０の先端部は、袋体１０の下面よりも上方に突き出す。前鍔部３３および後鍔部３４は、袋体１０の下面よりも少し上方に位置する。
【００４５】
図７ないし図１０は、排気兼ハンガー保持ユニット４０の構成を示す図である。図７は袋体１０に取り付けられる前の、分解された排気兼ハンガー保持ユニット４０を示す斜視図である。図８（ａ）および（ｂ）は、それぞれ、排気兼ハンガー保持ユニット４０を構成する前ユニット２００および後ユニット１００の背面斜視図である。図９（ａ）は、袋体１０に取り付けられた排気兼ハンガー保持ユニット４０の斜視図であり、図９（ｂ）は、排気部４１を水平方向に切断した、図９（ａ）のＢ−Ｂ´断面図である。図１０（ａ）および（ｂ）は、それぞれ、袋体１０の上部の背面図および正面図である。なお、図７および図１０（ｂ）では、便宜上、袋体１０の前面の図示が省略されており、図９（ａ）では、袋体１０が透明に描かれている。
【００４６】
排気兼ハンガー保持ユニット４０には、左側半分に排気部４１が形成され、右側半分の前側にハンガー保持部４２が形成される。さらに、排気兼ハンガー保持ユニット４０には、右側半分の後ろ側に、袋体保持部７０が装着される装着部４３が形成される。
【００４７】
排気兼ハンガー保持ユニット４０は、後ユニット１００と前ユニット２００とを組み合わせことにより形成される。後ユニット１００および前ユニット２００は、樹脂材料など、袋体１０よりも硬い材料により形成される。後ユニット１００および前ユニット２００では、それぞれ、横長の長方形状を有する後プレート１０１および前プレート２０１に、排気部４１、ハンガー保持部４２および装着部４３の構成要素が形成される。
【００４８】
排気部４１は、後プレート１０１に形成される排気ダクト１１０と、前プレート２０１に形成されるダクトカバー２１０とを含む。排気部４１内に、オゾン除去フィルタ４４が装着される。排気ダクト１１０は、後方に張り出すように形成され、長方形状を有する。排気ダクト１１０は、前面がオゾン除去フィルタ４４の出入口１１１として開口し、後面が排気口１１２として開口する。出入口１１１の周縁は、前方に張り出すガイド枠１１３により囲まれる。排気口１１２には、格子１１４が形成される。ダクトカバー２１０は、前方に僅かに張り出すように形成され、長方形状の外枠２１１と、外枠２１１内に形成された格子２１２とを含む。外枠２１１の厚みは格子２１２の厚みよりも大きく、外枠２１１の裏側には溝２１３が形成される。
【００４９】
オゾン除去フィルタ４４は、前後に扁平な直方体形状を有する。オゾン除去フィルタ４４には、たとえば、アルミ等の基材に活性炭と触媒とを転着させた活性炭・触媒フィルタが用いられる。オゾン除去フィルタ４４が手で触れられないよう、オゾン除去フィルタ４４の周囲が網状のカバー４４ａで覆われる。なお、オゾン除去フィルタ４４として、オゾン除去効果を有する他のフィルタ、たとえば、光触媒セラミックフィルタが用いられても良い。
【００５０】
ハンガー保持部４２は、後プレート１０１の前面から前方に延びる第１保持部１２０と、第１保持部１２０の前方に形成された第２保持部１２１を含む。第１保持部１２０には、上方に突出するが円筒形状の差込口部１２２が形成される。第２保持部１２１は、上方に向くフックの形状を有する。
【００５１】
後プレート１０１の前面には、ハンガー保持部４２の左右にガイド体１３０が形成される。また、前プレート２０１には、ハンガー保持部４２と左右のガイド体１３０が通される開口部２２０が形成される。開口部２２０の周囲に枠体２２１が形成される。
【００５２】
装着部４３は、本体部１４０と装着穴１４１とを含む。本体部１４０は、四角い箱状に形成され、後プレート１０１の後面から後方に張り出す。装着穴１４１は、本体部１４０の後面に形成され、後プレート１０１を越えてハンガー保持部４２の内部まで延びる。装着穴１４１の下面には、装着穴１４１の開口端から奥に向って切欠部１４２が形成される。
【００５３】
前プレート２０１には、四隅の位置と、左右方向の中央の上端部および下端部の位置に、ネジ３００が通されるネジ孔２３０が形成される。さらに、前プレート２０１の前面の外周縁には、全周に亘って補強用のリブ２３１が形成される。
【００５４】
後プレート１０１には、四隅の位置と、左右方向の中央の上端部および下端部の位置に、ネジ３００が止められる取付ボス１５０が形成される。また、後プレート１０１の後面には、装着部４３の右側に、本体部１４０の右上端から後プレート１０１の外縁部を巡って本体部１４０右下端へ繋がる補強用の第１リブ１５１が形成され、装着部４３の左側に、本体部１４０の左上端から後プレート１０１の外縁部を巡って本体部１４０左下端へ繋がる第２リブ１５２が形成される。さらに、後プレート１０１の後面には、装着穴１４１の両側から下方へと延びる、２つの補強用の第３リブ１５３が形成される。
【００５５】
袋体１０の後面上部には、排気部４１に対応する位置に第１開口部１０ｄが形成され、ハンガー保持部４２および左右のガイド体１３０に対応する位置に第２開口部１０ｅが形成される。また、袋体１０の後面上部には、前プレート２０１のネジ孔２３０と後プレート１０１の取付ボス１５０に対応する位置に挿通孔１０ｆが形成される。
【００５６】
排気兼ハンガー保持ユニット４０が組み立てられる際には、まず、オゾン除去フィルタ４４が、後ユニット１００の排気ダクト１１０内に収容される。次に、ガイド枠１１３を第１開口部１０ｄに挿入させるとともに左右のガイド体１３０を第２開口部１０ｅに挿入させるようにして、袋体１０の外側から後ユニット１００を袋体１０の後面上部に取り付ける。次に、袋体１０の内側から、前ユニット２００を後ユニット１００に取り付ける。この後、袋体１０の後面上部を前後から挟み込むようにして組み合わされた前ユニット２００と後ユニット１００とをネジ３００で固定する。このようにして、図９（ａ）に示すように、排気兼ハンガー保持ユニット４０が組み立てられつつ袋体１０の後面上部に取り付けられる。
【００５７】
ここで、後ユニット１００を袋体１０の後面に取り付ける際に、ガイド枠１１３およびガイド体１３０が、ガイドとして第１開口部１０ｄおよび第２開口部１０ｅにそれぞれ挿入される。これにより、後ユニット１００が袋体１０に取り付けやすくなり、排気兼ハンガー保持ユニット４０の組み立てが容易となる。
【００５８】
また、図９（ｂ）に示すように、排気部４１において、排気ダクト１１０のガイド枠１１３の先端部は、ダクトカバー２１０の外枠２１１の溝２１３内に嵌り込む。これにより、排気ダクト１１０とダクトカバー２１０の間のシール効果が高まるため、排気部４１を通るオゾンを含む空気が排気部４１から漏れ出しにくくなる。
【００５９】
さらに、後プレート１０１における排気ダクト１１０の周囲の平坦な部位は、第１開口部１０ｄの周囲を外側から覆う後フランジ部Ｆ１として機能し、前プレート２０１におけるダクトカバー２１０の周囲の平坦な部位は、第１開口部１０ｄの周囲を内側から覆う前フランジ部Ｆ２として機能する。図９（ｂ）に示すように、排気部４１が第１開口部１０ｄに取り付けられると、第１開口部１０ｄは、その周囲を後フランジ部Ｆ１と前フランジ部Ｆ２とでシールされる状態となる。これにより、袋体１０内のオゾンを含む空気が、第１開口部１０ｄから漏れ出しにくくなる。
【００６０】
同様に、後プレート１０１におけるハンガー保持部４２および左右のガイド体１３０の周囲の平坦な部位は、第２開口部１０ｅの周囲を外側から覆う後フランジ部Ｆ３として機能し、前プレート２０１における開口部２２０の周囲の平坦な部位は、第２開口部１０ｅの周囲を内側から覆う前フランジ部Ｆ４として機能する。ハンガー保持部４２が第２開口部１０ｅに取り付けられると、第２開口部１０ｅは、その周囲を後フランジ部Ｆ３と前フランジ部Ｆ４とでシールされる状態となる。これにより、袋体１０内のオゾンを含む空気が、第２開口部１０ｅから漏れ出しにくくなる。
【００６１】
排気兼ハンガー保持ユニット４０が袋体１０の後面上部に取り付けられた状態において、図１０（ａ）に示すように、装着部４３の装着穴１４１は、袋体１０の左右方向における中央に位置する。また、図１０（ｂ）に示すように、ハンガー保持部４２は、袋体１０内において、袋体１０の左右方向における中央部に位置する。ハンガー保持部４２の第２保持部１２１に、衣類が掛けられる衣類用ハンガーＨのフックが引っ掛けられ、第１保持部１２０の差込口部１２２に上面カバー４４０が取り付けられる。上面カバー４４０は、弓なりにやや湾曲した横長の板状に形成される。この上面カバー４４０によって、袋体１０の上面が内側から補強される。
【００６２】
袋体１０の後面上部を構成する後生地１０ｂの上部１０ｂ１は、後生地１０ｂの他の部分１０ｂ２よりも厚みを大きくされたり、他の部分１０ｂ２とは生地材料を変えられたりすることにより、他の部分１０ｂ２よりも硬くされる。これにより、袋体１０の後面上部によって、排気兼ハンガー保持ユニット４０をしっかりと保持することができる。
【００６３】
次に、袋体保持部７０の構造、および、袋体保持部７０への袋体１０の取付構造について詳細に説明する。
【００６４】
図１１は、袋体保持部７０の構成を示す図であり、図１１（ａ）は前面斜視図、図１１（ｂ）は背面斜視図である。図１２は、袋体保持部７０に袋体１０が取り付けられた状態の要部の縦断面図である。
【００６５】
袋体保持部７０は、箱状の本体部７１と、本体部７１から前方に延びる保持部７２を含む。本体部７１には、左右両側に、円筒形状を有する差込穴７３が形成される。差込穴７３にポール６１の上端部が差し込まれる。
【００６６】
保持部７２の根元部には、上部に係合爪部７４が形成される。係合爪部７４の周りには開口部７５が形成される。保持部７２の内部は中空とされており、係合爪部７４から垂下する操作片７６が、開口部７５と保持部７２の内部を通って保持部７２の下方に突出する。操作片７６が下方に引かれると、係合爪部７４が下方に引っ込む。
【００６７】
保持部７２の先端部は、上方に向くフックの形状を有する。袋体保持部７０に袋体１０が取り付けられていないときには、先端部に衣類用ハンガーを引っ掛けることができる。本体部７１の前面下端には、保持部７２の左右両側に支持片７７が形成される。
【００６８】
図１２に示すように、袋体１０を袋体保持部７０に取り付ける場合、ユーザは、排気兼ハンガー保持ユニット４０の装着穴１４１に袋体保持部７０の保持部７２を挿入する。挿入の際、保持部７２の操作片７６は、装着穴１４１の切欠部１４２を通る。装着穴１４１の入口部分には、上部に係合孔１４３が形成されており、保持部７２が装着穴１４１に最後まで挿入されると、係合爪部７４が係合孔１４３に係合する。これにより、保持部７２が装着穴１３１から抜けなくなり、袋体１０が袋体保持部７０に対して、上下左右方向に動かないのみならず、前方向に抜けないように固定される。また、図１２には図示されていないが、装着部４３の下面が、左右の支持片７７によって支持される。図１（ａ）に示すように、袋体保持部７０に固定された状態において、袋体１０の前面が台座５０の正面方向を向く。
【００６９】
ユーザは、操作片７６を下方に引いて係合爪部７４を引っ込め、袋体１０を前方に移動することにより、袋体１０を袋体保持部７０から取り外すことができる。
【００７０】
次に、オゾン供給装置２０の詳細な構成について説明する。
【００７１】
図１３ないし図１６は、オゾン供給装置２０の構成を示す図である。図１３（ａ）は、上面カバー４４０が装着されていない状態のオゾン供給装置２０の斜視図である。図１３（ｂ）は、上面カバー４４０が装着された状態のオゾン供給装置２０の斜視図である。図１４（ａ）は、オゾン供給装置２０の平面図であり、図１４（ｂ）は、オゾン供給装置２０の筐体４００の上面を裏側から見た横断面図である。図１５（ａ）ないし（ｃ）は、それぞれ、オゾン供給装置２０の左側面図、背面図および底面図であり、図１５（ｄ）および（ｅ）は、台座５０に固定された状態のオゾン供給装置２０を示す要部の側面断面図である。図１６（ａ）は、背面側から見たオゾン供給装置２０の縦断面図であり、図１６（ｂ）は、上面側から見たオゾン供給装置２０の要部の横断面図である。なお、図１６（ａ）では、右挿入凹部４１５、左挿入凹部４１６、キー挿入凹部４１７、ダクト検出部４６０およびキー検出部４７０の図示が省略されている。
【００７２】
オゾン供給装置２０は、筐体４００と、通気ダクト５００と、オゾン発生器６００と、送風ファン７００と、吸気ユニット８００と、制御ユニット９００とを含む。
【００７３】
筐体４００は、箱本体４１０と、前面カバー４２０と、吸気カバー４３０と、上面カバー４４０と、操作部４５０とを含む。図１３（ａ）に示すように、箱本体４１０は、上面が緩やかに凸湾曲した横長の直方体形状を有する。箱本体４１０の前面には前面開口部４１１が形成され、この前面開口部４１１が前面カバー４２０によって着脱可能に閉鎖される。
【００７４】
箱本体４１０の上面には、上面カバー４４０の形状と同じ形状に窪む凹面部４１２が形成される。凹面部４１２の中央には、円形に窪んだ差込口部４１３が設けられる。差込口部４１３には、格子状の整流リブ４１４ａを有する排出口４１４が形成される。  凹面部４１２には、差込口部４１３の左右両側に、導入ダクト３０の右爪部３８および左爪部３９に対応する形状を有する右挿入凹部４１５および左挿入凹部４１６が形成される。図１４（ａ）および（ｂ）に示すように、右挿入凹部４１５の前側には、右挿入凹部４１５に挿入された右爪部３８が、ほぼ右爪部３８一つ分だけ右回り方向に移動となるように右開口部４１５ａが形成される。同様に、左挿入凹部４１６の後側には、左挿入凹部４１６に挿入された左爪部３９が、ほぼ左爪部３９一つ分だけ右回り方向に移動となるように左開口部４１６ａが形成される。
【００７５】
凹面部４１２には、右端部に、検出キー９０に対応する形状を有するキー挿入凹部４１７が形成される。図１４（ａ）および（ｂ）に示すように、キー挿入凹部４１７の後ろ側の側面には、開口部４１７ａが形成される。
【００７６】
図１３（ｂ）に示すように、凹面部４１２には、衣類脱臭装置１が使用されないときに、袋体１０から外された上面カバー４４０を装着することができる。これにより、袋体１０から外された上面カバー４４０の保管場所が確保されるため、非使用時の上面カバー４４０の紛失を防止できる。また、非使用時に排出口４１４やキー挿入凹部４１７から筐体４００の内部へ埃等が侵入するのを防止できる。
【００７７】
図１４（ｂ）に示すように、箱本体４１０の上面の裏側に、ダクト検出部４６０およびキー検出部４７０が配置される。ダクト検出部４６０は、検出スイッチ４６１と、中継レバー４６２とを含む。検出スイッチ４６１は、スイッチ部４６１ａとスイッチ部４６１ａを押すためのレバー部４６１ｂとを有する。中継レバー４６２は、箱本体４１０の上面の裏側に形成された回転軸４６３に回転自在に取り付けられ、一端が右挿入凹部４１５の近傍に位置し、他端が検出スイッチ４６１に接触する。キー検出部４７０は、検出スイッチ４７１と、中継レバー４７２とを含む。検出スイッチ４７１は、スイッチ部４７１ａとスイッチ部４７１ａを押すためのレバー部４７１ｂとを有する。中継レバー４７２は、箱本体４１０の上面の裏側に形成された回転軸４７３に回転自在に取り付けられ、一端がキー挿入凹部４１７の近傍に位置し、他端が検出スイッチ４７１に接触する。
【００７８】
図１５（ａ）に示すように、箱本体４１０の左側面には、操作部４５０が設けられる。操作部４５０は、電源ボタン４５１と、脱臭ボタン４５２と、香り付けボタン４５３とを含む。電源ボタン４５１は、衣類脱臭装置１の電源を投入および遮断するためのボタンである。脱臭ボタン４５２は、脱臭運転を開始するためのボタンである。香り付けボタン４５３は、香り付け運転を開始するためのボタンである。また、操作部４５０は、第１報知部４５４および第２報知部４５５を含む。第１報知部４５４は、たとえばＬＥＤで構成され、導入ダクト３０がオゾン供給装置２０に接続されていないことを点灯により報知する。第２報知部４５５はたとえばＬＥＤで構成され、袋体１０の投入口１１が閉鎖されていないことを点灯により報知する。
【００７９】
図１５（ｂ）に示すように、箱本体４１０の後面には吸気口４１８が形成され、この吸気口４１８が吸気カバー４３０により着脱可能に閉鎖される。吸気カバー４３０には、多数の吸気孔４３１が形成される。
【００８０】
図１５（ｃ）に示すように、箱本体４１０の底面には、台座５０の第１固定部５２各爪部５２ａに対応する位置に第１取付孔４１９ａが形成され、第２固定部５３の突起５３ｂに対応する位置に第２取付孔４１９ｂが形成される。ユーザが、第２固定部５３の押圧部５３ｃを下方に押して突起５３ｂを引っ込めた後に第１取付孔４１９ａに爪部５２ａを通すようにしてオゾン供給装置２０を台座５０に載せ、さらに、オゾン供給装置２０を横方向にスライドさせると、図１５（ｄ）に示すように、爪部５２ａと箱本体４１０の底面とが係合する。その後、ユーザが、押圧部５３ｃの押圧を止めると、図１５（ｅ）に示すように、突起５３ｂが第２取付孔４１９ｂに嵌り込む。これにより、オゾン供給装置２０が上下、前後および左右方向に動かないように台座５０に固定される。よって、オゾン供給装置２０からの空気の供給によって袋体１０が膨らむときにオゾン供給装置２０に掛かる力によってオゾン供給装置２０が転倒することを防止できる。
【００８１】
筐体４００の内部に、通気ダクト５００、オゾン発生器６００、送風ファン７００、吸気ユニット８００および制御ユニット９００が配置される。
【００８２】
図１６（ａ）および（ｂ）に示すように、通気ダクト５００は、ダクト本体５１０と、ダクト蓋５２０とを含む。ダクト本体５１０は、導入口５１１が送風ファン７００の吐出口７２０に接続され、導出口５１２が排出口４１４に接続される。ダクト本体５１０内の導入口５１１の近傍にオゾン発生器６００が配置される。ダクト本体５１０は、導入口５１１から左方に延び、オゾン発生器６００の配置位置を過ぎた部分から右方に折り返されるように屈曲した後、上方に延びて導出口５１２へと至るような形状を有する。即ち、ダクト本体５１０は、オゾン発生器６００の下流側となる部分がＳ字に近い形に蛇行する。
【００８３】
オゾン発生器６００は、放電方式のオゾン発生器であり、一対の電極間にコロナ放電、無声放電等の放電を生じさせ、一対の電極間に通された空気からオゾンを生成する。ダクト本体５１０の前面には、オゾン発生器６００に対応する位置に開口部５１３が形成される。開口部５１３は、ダクト蓋５２０によって閉鎖される。ユーザは、前面カバー４２０およびダクト蓋５２０を外すことにより、開口部５１３を通じて、電極の清掃等、オゾン発生器６００のメンテナンスを行うことができる。
【００８４】
送風ファン７００は、遠心ファンであり、側面に吸込口７１０が設けられ、周面に吐出口７２０が設けられる。吸込口７１０は、筐体４００後面の吸気口４１８に対向する。送風ファン７００は、吸込口７１０から空気を取り込み、取り込んだ空気を通気ダクト５００内のオゾン発生器６００へ送る。送風ファン７００として、遠心ファン以外のファン、たとえば、軸流ファンが用いられても良い。
【００８５】
図１６（ｂ）に示すように、筐体４００の吸気口４１８と送風ファン７００の吸込口７１０との間に吸気ユニット８００が設けられる。吸気ユニット８００は、吸気ダクト８１０と、ダストフィルタ８２０と、オゾン除去フィルタ８３０とを含む。
【００８６】
吸気ダクト８１０内は、格子状の仕切板８１１により、吸気口４１８側の第１フィルタ収容部８１２と、送風ファン７００側の第２フィルタ収容部８１３に区画される。第１フィルタ収容部８１２にダストフィルタ８２０が収容され、第２フィルタ収容部８１３にオゾン除去フィルタ８３０が収容される。ダストフィルタ８２０は、吸気口４１８から取り込まれる空気に含まれる埃などを除去する。オゾン除去フィルタ８３０は、ダストフィルタ８２０を通過した空気に含まれるオゾンを除去する。オゾン除去フィルタ８３０には、排気兼ハンガー保持ユニット４０のオゾン除去フィルタ４４と同様、活性炭・触媒フィルタが用いられ得る。
【００８７】
吸気ダクト８１０には、送風ファン７００の吸込口７１０に接続される接続部８１４が設けられ、接続部８１４と第２フィルタ収容部８１３とが連通孔８１５により繋がる。
【００８８】
制御ユニット９００は、ＣＰＵ、メモリ等を含み、オゾン発生器６００および送風ファン７００を制御する。
【００８９】
次に、図１７を参照し、オゾン供給装置２０への導入ダクト３０の接続と、ダクト検出部４６０による接続の検出について説明する。
【００９０】
導入ダクト３０がオゾン供給装置２０に接続される際、図１７（ａ）に示すように、右爪部３８および左爪部３９が、それぞれ、右挿入凹部４１５および左挿入凹部４１６に挿入されるように、導入ダクト３０の接続部３１ｂが差込口部４１３に差し込まれる。その後、導入ダクト３０が、上方から見て右回りに回転されると、右爪部３８および左爪部３９が、それぞれ、右開口部４１５ａおよび左開口部４１６ａを通って箱本体４１０の上面の裏側に移動し、箱本体４１０の上面と係合する。これにより、導入ダクト３０が上方に外れなくなる。
【００９１】
図６（ｃ）により説明した通り、袋体１０の前後方向における中心線Ｐよりも、右爪部３８は少し前に位置し、左爪部３９は少し後ろに位置するので、図１（ａ）に示すように、導入ダクト３０は、袋体１０の前面がオゾン供給装置２０の正面方向、即ち、台座５０の正面方向を向くようにオゾン供給装置２０に接続される。また、上述の通り、排気兼ハンガー保持ユニット４０は、袋体１０の前面が台座５０の正面方向を向くように袋体保持部７０に固定される。よって、袋体１０は、その上部と下部との間でほぼ捻じれることなく、オゾン供給装置２０の上方に吊り下げられることとなる。これにより、衣類を袋体１０内に良好に収容できるとともに、袋体１０内にオゾンを含む空気を円滑に流通させることができる。
【００９２】
このように導入ダクト３０がオゾン供給装置２０に接続され、図１７（ｂ）に示すように、右爪部３８が箱本体４１０の上面の裏側に移動すると、中継レバー４６２の一端側が右爪部３８に押される。中継レバー４６２が回転し、中継レバー４６２の他端側によってレバー部４６１ｂが押され、押されたレバー部４６１ｂによりスイッチ部４６１ａが押される。これにより、検出スイッチ４６１が、導入ダクト３０が差込口部４１３に装着されたことを検出する。
【００９３】
なお、導入ダクト３０が差込口部４１３から外されると、レバー部４６１ｂは自身の弾性力によって、中継レバー４６２を回転させながら初期の位置に戻る。これにより、検出スイッチ４６１が、導入ダクト３０が差込口部４１３から外されたことを検出する。
【００９４】
次に、図１８および図１９を参照し、ファスナー１２によって袋体１０の投入口１１が閉鎖されたことをキー検出部４７０が検出する動作について説明する。
【００９５】
検出キー９０をスライダー１２ｃに連結する連結紐９５は、ファスナー１２が終端部１２ｂの近傍まで閉鎖されたときに、検出キー９０がキー挿入凹部４１７に届く長さを有する。このため、図１８（ａ）に示すように、スライダー１２ｃが終端部１２ｂの近傍にないときには、検出キー９０はキー挿入凹部４１７に届かず、ユーザは、検出キー９０をキー挿入凹部４１７に差し込むことができない。即ち、少なくとも、ファスナー１２が完全に開いた状態では、検出キー９０は、キー挿入凹部４１７に届かない。一方、図１８（ｂ）に示すように、ファスナー１２が完全に閉じた状態では、検出キー９０がキー挿入凹部４１７に届き、検出キー９０のキー挿入凹部４１７への差込が可能となる。
【００９６】
ユーザは、ファスナー１２により投入口１１を最後まで閉鎖すると、図１９（ａ）に示すように、検出キー９０をキー挿入凹部４１７に差し込み、差し込んだ検出キー９０を、上方から見て右回りに回転させる。図１９（ｂ）に示すように、検出キー９０の突出部９１が開口部４１７ａを通じて、箱本体４１０の上面の裏側に移動し、移動した突出部９１によって中継レバー４７２の一端側が押される。中継レバー４７２が回転し、中継レバー４７２の他端側によってレバー部４７１ｂが押され、押されたレバー部４７１ｂによりスイッチ部４７１ａが押される。これにより、検出スイッチ４７１が、検出キー９０がキー挿入凹部４１７に差し込まれたこと、即ち、ファスナー１２により袋体１０の投入口１１が閉鎖されたことを検出する。
【００９７】
なお、検出キー９０がキー挿入凹部４１７から外されると、レバー部４７１ｂは自身の弾性力によって、中継レバー４７２を回転させながら初期の位置に戻る。これにより、検出スイッチ４７１が、検出キー９０がキー挿入凹部４１７から外されたことを検出する。
【００９８】
次に、香り供給ユニット８０の詳細な構成について説明する。
【００９９】
図２０および図２１は、香り供給ユニット８０の構成を示す図である。図２０（ａ）および（ｂ）は、それぞれ、香り供給ユニット８０の平面図および底面図であり、図２０（ｃ）は、上ケース８４が外された状態の香り供給ユニット８０の平面図である。図２１（ａ）は、導入ダクト３０に香り供給ユニット８０が装着された状態の袋体１０の下部中央部の縦断面図である。図２１（ｂ）は、導入ダクト３０に香り供給ユニット８０が装着された状態の袋体１０の下部中央部の横断面図である。
【０１００】
香り供給ユニット８０は、平面視において楕円形状を有する箱状の収容ケース８１と、収容ケース８１内に収容される芳香体８２とを含む。収容ケース８１は、上面が開放された下ケース８３と底面が開放された上ケース８４とを含む。
【０１０１】
下ケース８３の底面には、長手方向における一端側に吸気口８３ａが形成されるとともに、吸気口８３ａに隣接して長手方向に延びる複数のリブ８３ｂが形成される。複数のリブ８３ｂの上に芳香体８２が載置される。また、下ケース８３の底面は、他端部側に、他端部に向って高くなる傾斜面８３ｃを有する。さらに、下ケース８３の底面には、吸気口８３ａを囲むようにして円筒状の接続口８３ｄが形成される。接続口８３ｄには、導入ダクト３０の係合片３２に対応する位置に爪部８３ｅが形成される。
【０１０２】
上ケース８４は下ケース８３の上面に装着される。上ケース８４の上面は、吸気口８３ａに対向する位置に、他端部に向って高くなる傾斜面８４ａを有する。また、上ケース８４の上面には、複数のリブ８３ｂに対向する位置に開口部８４ｂが形成され、この開口部８４ｂが蓋部８４ｃによって開閉可能に覆われる。蓋部８４ｃは、ヒンジ部８４ｄを中心に回動する。蓋部８４ｃには、複数のスリット状の通気孔８４ｅが形成される。
【０１０３】
芳香体８２は、多孔質材料など、液体状の芳香剤を含浸できる材料で形成される。ユーザは、蓋部８４ｃを開けて開口部８４ｂから収容ケース８１内に芳香体８２をセットする。
【０１０４】
香り供給ユニット８０を導入ダクト３０に装着する際には、爪部８３ｅと係合片３２との位置がずれた状態で接続口８３ｄを導入ダクト３０の先端部に差し込む。その後、香り供給ユニット８０を、爪部８３ｅと係合片３２とが重なる位置まで回転させる。図２１（ａ）に示すように、係合片３２と爪部８３ｅとが係合し、香り供給ユニット８０が上方に外れなくなる。なお、前鍔部３３および後鍔部３４の存在により、袋体１０の下面の側面生地１０ｃが接続口８３ｄと導入ダクト３０との間に咬み込むことが防止される。
【０１０５】
図２１（ｂ）に示すように、香り供給ユニット８０が導入ダクト３０に装着された状態において、香り供給ユニット８０は、その長手方向が袋体１０の左右方向となるように袋体１０内に配置される。上述のように、導入ダクト３０は、袋体１０に対して回らないように円筒状部１５に固定されているので、導入ダクト３０に正しく装着された香り供給ユニット８０が、袋体１０の前面や後面に接触してしまうというようなことがない。
【０１０６】
次に、衣類脱臭装置１による脱臭運転と香り付け運転について説明する。
【０１０７】
脱臭運転を行う場合、ユーザは、袋体保持部７０に吊り下げられた袋体１０内に、衣類用ハンガーＨに掛けられた衣類を収容する。この際、ユーザは、図１０（ｂ）に示すように、袋体１０内において、衣類用ハンガーＨをハンガー保持部４２の第２保持部１２１に引っ掛けるようにする。こうして、袋体１０内において、ハンガー保持部４２により衣類が吊り下げられる。ユーザは、操作部４５０の脱臭ボタン４５２を押す。制御ユニット９００は、ダクト検出部４６０により導入ダクト３０がオゾン供給装置２０に装着されていることを検出し、且つ、キー検出部４７０により検出キー９０がキー挿入凹部４１７に差し込まれている、即ち、ファスナー１２により袋体１０の投入口１１が閉鎖されていることを検出すると、脱臭運転を開始し、送風ファン７００とオゾン発生器６００とを動作させる。制御ユニット９００は、導入ダクト３０がオゾン供給装置２０に装着されていなければ、脱臭運転を開始せずに、第１報知部４５４を点灯させる。また、制御ユニット９００は、投入口１１が閉鎖されていなければ、脱臭運転を開始せずに、第２報知部４５５を点灯させる。
【０１０８】
脱臭運転が開始されると、吸気口４１８から外部の空気が吸気ダクト８１０に取り込まれ、吸気ダクト８１０内のダストフィルタ８２０とオゾン除去フィルタ８３０により空気に含まれた埃とオゾンとが除去される。埃とオゾンが除去された空気は、送風ファン７００によって通気ダクト５００内に送り込まれる（図１６（ｂ）の矢印参照）。通気ダクト５００内を流れる空気には、オゾン発生器６００を通過する際に、オゾン発生器６００で発生したオゾンが混入される。こうして、オゾンを含む空気が通気ダクト５００内を通って排出口４１４に至り、排出口４１４から排出される（図１６（ａ）の矢印参照）。
【０１０９】
オゾン供給装置２０から排出された、オゾンを含む空気は、導入ダクト３０を通って袋体１０内に導入される。図１（ａ）の矢印に示すように、袋体１０内に導入された、オゾンを含む空気は、袋体１０内を下から上へ衣類に触れながら流れる。空気に含まれたオゾンの脱臭作用により衣類が脱臭される。ここで、衣類は下方が大きく開口しているが、オゾンを含む空気は、袋体１０内を下から上へ流れるため、衣類の内部に行き渡りやすい。これにより、衣類の外側と内側とを満遍なく脱臭することができる。
【０１１０】
また、袋体１０は袋体保持部７０に掛けられ、衣類は衣類用ハンガーＨに掛けられることにより、袋体１０の上部と衣類の肩部分との間に隙間が確保されている。これにより、衣類の肩部分にもオゾンが行き渡りやすいので、脱臭効果を高めることができる。
【０１１１】
衣類の脱臭によりオゾン濃度が低下した空気は、図１（ａ）の破線矢印に示すように、袋体１０の上部の排気部４１を通って袋体１０の外へ排出される。脱臭後の空気は、排気部４１を通過する際、オゾン除去フィルタ４４によりオゾンが除去される。これにより、袋体１０から排気される空気中のオゾン濃度が一層低下する。
【０１１２】
次に、香り付け運転を行う場合、ユーザは、袋体保持部７０に吊り下げられた袋体１０内に衣類を収容するとともに、図２１に示すように、袋体１０内において、導入ダクト３０に、芳香体８２がセットされた香り供給ユニット８０を取り付ける。ユーザは、操作部４５０の香り付けボタン４５３を押す。制御ユニット９００は、ダクト検出部４６０により導入ダクト３０がオゾン供給装置２０に装着されていることを検出し、且つ、キー検出部４７０によりファスナー１２で袋体１０の投入口１１が閉鎖されていることを検出すると、香り付け運転を開始し、送風ファン７００を動作させる。制御ユニット９００は、導入ダクト３０がオゾン供給装置２０に装着されていなければ、香り付け運転を開始せずに、第１報知部４５４を点灯させる。また、制御ユニット９００は、投入口１１が閉鎖されていなければ、香り付け運転を開始せずに、第２報知部４５５を点灯させる。
【０１１３】
香り付け運転が開始されると、図２１（ａ）に示すように、導入ダクト３０から排出された空気が、吸気口８３ａから収容ケース８１内に導入される。導入された空気は、複数のリブ８３ｂに沿って他端部側へと流れた後に上方に向って流れる。芳香体８２を通過する空気によって、芳香体８２に含まれる芳香成分が揮発し、空気に混入される。芳香成分を含む空気が開口部８４ｂおよび通気孔８４ｅを通じて袋体１０内に排出される。なお、収容ケース８１に設けられた２つの傾斜面８３ｃ、８４ａにより、空気が収容ケース８１内を円滑に流れる。
【０１１４】
脱臭運転の場合と同様、芳香成分を含む空気は袋体１０内を下から上へ流れ、また、袋体１０内では空気の圧力が高まっているので、衣類の香り付け効果が高められる。
【０１１５】
＜本実施の形態の効果＞
以上、本実施の形態によれば、以下の作用効果が奏される。
【０１１６】
（１）衣類脱臭装置１は、衣類を収容した袋体１０にオゾン供給装置２０からオゾンを含む空気や芳香成分を含む空気を供給し、衣類の脱臭や香り付けを行う構成とされているので、大きな設置スペースが不要であり、家庭内に簡単に設置することができる。
【０１１７】
（２）ファスナー１２の閉じ口部分の周辺が終端カバー１３で覆われており、閉じ口部分に向おうとするオゾンを含む空気を終端カバー１３で遮ることができる。これにより、脱臭運転時に、ファスナー１２の閉じ口部分が僅かに開いていても、オゾンを含む空気が閉じ口部分から漏れ出しにくい。
【０１１８】
（３）終端カバー１３が通気性を有しない生地で形成されているので、オゾンを含む空気が終端カバー１３自身を通過することがなく、オゾンを含む空気が、一層、閉じ口部分から漏れ出しにくい。
【０１１９】
（４）スライダー１２ｃを下ろす方向が投入口１１の閉鎖方向とされているので、投入口１１が閉鎖された状態において、スライダー１２ｃの自重が閉鎖方向に働く。よって、スライダー１２ｃの自重によってファスナー１２の閉じ口部分が開いてくる虞がなく、オゾンを含む空気が、一層、閉じ口部分から漏れ出しにくい。
【０１２０】
＜変更例＞
以上、本発明の実施の形態について説明したが、本発明は、上記実施の形態によって何ら制限されるものではなく、また、本発明の実施の形態も、上記以外に種々の変更が可能である。
【０１２１】
たとえば、上記実施の形態では、袋体１０の前面中央に上下方向に真っ直ぐに延びる切れ目が投入口１１として形成され、当該投入口１１がファスナー１２で開閉される。しかしながら、これに限られず、たとえば、図２２（ａ）のように、袋体１０の前面において、袋体１０の上面と側面とに沿うように延びる切れ目が投入口１１Ａとして形成され、当該投入口１１Ａに対応する形状のファスナー１２Ａによって、当該投入口１１Ａが開閉されてもよい。あるいは、上記実施の形態と同様、上下方向に真っ直ぐに延びる投入口１１Ｂとファスナー１２Ｂとが袋体１０の左右何れかの側面に設けられてもよい。
【０１２２】
また、上記実施の形態では、ファスナー１２が閉じられる方向が、袋体１０の上から下への方向とされる。しかしながら、ファスナー１２が閉じられる方向が、袋体１０の下から上への方向とされてもよい。図２２（ａ）および（ｂ）の例においても、開閉方向は何れの方向でもよい。
【０１２３】
この他、本発明の実施の形態は、特許請求の範囲に示された技術的思想の範囲内において、適宜、種々の変更が可能である。
【符号の説明】
【０１２４】
１０  袋体
１１  投入口
１２  ファスナー
１２ｃ  スライダー
１３  終端カバー（カバー）
２０  オゾン供給装置
【図１】
0006570307.tif 000002
【図２】
0006570307.tif 000003
【図３】
0006570307.tif 000004
【図４】
0006570307.tif 000005
【図５】
0006570307.tif 000006
【図６】
0006570307.tif 000007
【図７】
0006570307.tif 000008
【図８】
0006570307.tif 000009
【図９】
0006570307.tif 000010
【図１０】
0006570307.tif 000011
【図１１】
0006570307.tif 000012
【図１２】
0006570307.tif 000013
【図１３】
0006570307.tif 000014
【図１４】
0006570307.tif 000015
【図１５】
0006570307.tif 000016
【図１６】
0006570307.tif 000017
【図１７】
0006570307.tif 000018
【図１８】
0006570307.tif 000019
【図１９】
0006570307.tif 000020
【図２０】
0006570307.tif 000021
【図２１】
0006570307.tif 000022
【図２２】
0006570307.tif 000023